(57)【要約】【課題】ネットワーク側のトラヒックが逼迫した場合に、ネットワークの負荷を低減しつつ、通信を行うこと。【解決手段】ユーザ端末は、回線交換網を介して発信が行われる際に、該回線交換網へのアクセスが規制されているかどうかを判定する規制状態判定部と、該回線交換網へのアクセスが規制されていると判定された場合に、発信者による所定の操作に従って、テキストデータに、該発信者から着信者への音声メッセージを変換し、パケット化する音声メッセージ変換部と、パケット交換網を介して、パケット化された音声メッセージを送信するように制御する通信制御部とを有する。【選択図】図６
2013098770.tif 000002
【特許請求の範囲】
【請求項１】
回線交換網を介して発信が行われる際に、該回線交換網へのアクセスが規制されているかどうかを判定する規制状態判定部と、
該規制状態判定部により前記回線交換網へのアクセスが規制されていると判定された場合に、発信者による所定の操作に従って、テキストデータに、該発信者から着信者への音声メッセージを変換し、パケット化する音声メッセージ変換部と、
パケット交換網を介して、前記音声メッセージ変換部によりパケット化された音声メッセージを送信するように制御する通信制御部と
を有する、ユーザ端末。
【請求項２】
パケット交換網を介して送信されたパケットから、発信者を識別するための情報を取得する発信者情報取得部と、
該発信者情報取得部により取得される発信者を識別するための情報に基づいて、音声メッセージに、前記パケットに含まれるテキストデータを変換する際に利用する音声パラメータを設定する出力音声設定部と、
該出力音声設定部により設定された音声パラメータを利用して、音声メッセージに、前記テキストデータを変換する音声メッセージ再生制御部と、
該音声メッセージ再生制御部により変換された音声メッセージを出力する出力部と
を有する、ユーザ端末。
【請求項３】
請求項２に記載のユーザ端末において、
１又は複数のユーザに関する情報を含む電話帳
を有し、
前記出力音声設定部は、前記発信者に対応する電話帳に該発信者の声を合成するための音声パラメータが登録されている場合には、該発信者の声を合成するための音声パラメータを設定する、ユーザ端末。
【請求項４】
請求項３に記載のユーザ端末において、
所定の条件により、所定のカテゴリに、発信者を分類するための発信者分類テーブルと、
各カテゴリに分類される１又は複数の発信者により利用される再生用パラメータを含む音声パラメータテーブルと
を有し、
前記出力音声設定部は、発信者に対応する電話帳に含まれる情報に基づいて、前記発信者分類テーブルから該発信者が分類されるカテゴリを特定し、前記音声パラメータテーブルから、該カテゴリに対応する音声パラメータを特定し、該音声パラメータを設定する、ユーザ端末。
【請求項５】
請求項２に記載のユーザ端末において、
前記出力音声設定部は、予めインストールされた音声データに基づく音声パラメータを設定する、ユーザ端末。
【請求項６】
請求項５に記載のユーザ端末において、
前記音声データは、ネットワークからダウンロードすることにより得られた音声データ又は録音された音声に基づく音声データである、ユーザ端末。
【請求項７】
発信側のユーザ端末から、着信側のユーザ端末へ、メッセージを送信する無線通信システムであって、
前記発信側のユーザ端末は、
回線交換網を介して発信が行われる際に、該回線交換網へのアクセスが規制されているかどうかを判定する規制状態判定部と、
該規制状態判定部により前記回線交換網へのアクセスが規制されていると判定された場合に、発信者による所定の操作に従って、テキストデータに、該発信者から着信者への音声メッセージを変換し、パケット化する音声メッセージ変換部と、
パケット交換網を介して、前記音声メッセージ変換部によりパケット化された音声メッセージを送信するように制御する通信制御部と
を有し、
着信側のユーザ端末は、
パケット交換網を介して送信されたパケットから、発信者を識別するための情報を取得する発信者情報取得部と、
該発信者情報取得部により取得される発信者を識別するための情報に基づいて、音声メッセージに、該パケットに含まれるテキストデータを変換する際に利用する音声パラメータを設定する出力音声設定部と、
該出力音声設定部により設定された音声パラメータを利用して、音声メッセージに、前記テキストデータを変換する音声メッセージ再生制御部と、
該音声メッセージ再生制御部により変換された音声メッセージを出力する出力部と
を有する、無線通信システム。
【請求項８】
発信側のユーザ端末から、着信側のユーザ端末へ、メッセージを送信する無線通信システムにおける通信方法であって、
前記発信側のユーザ端末は、
回線交換網を介して発信が行われる際に、該回線交換網へのアクセスが規制されているかどうかを判定する規制状態判定ステップと、
該規制状態判定ステップにより前記回線交換網へのアクセスが規制されていると判定された場合に、発信者による所定の操作に従って、テキストデータに、該発信者から着信者への音声メッセージを変換し、パケット化する音声メッセージ変換ステップと、
パケット交換網を介して、前記音声メッセージ変換ステップによりパケット化された音声メッセージを送信するように制御する通信制御ステップと
を有し、
着信側のユーザ端末は、
パケット交換網を介して送信されたパケットから、発信者を識別するための情報を取得する発信者情報取得ステップと、
該発信者情報取得ステップにより取得される発信者を識別するための情報に基づいて、音声メッセージに、該パケットに含まれるテキストデータを変換する際に利用する音声パラメータを設定する出力音声設定ステップと、
該出力音声設定ステップにより設定された音声パラメータを利用して、音声メッセージに、前記テキストデータを変換する音声メッセージ再生制御ステップと、
該音声メッセージ再生制御ステップにより変換された音声メッセージを出力する出力ステップと
を有する、通信方法。
【発明の詳細な説明】
【技術分野】
【０００１】
本発明は、無線通信システムに関する。
【背景技術】
【０００２】
地震などの大規模な災害が発生したときには、災害の復旧活動にあたる行政や防災機関などに加えて、多くのユーザが被災地への安否確認などに音声電話を利用する。このとき、通常時と比べて多量のトラフィックがネットワークで処理されることになる。多量のトラフィックがネットワークで処理されることにより、通信がつながりにくい状態となる。通信がつながりにくい状態となるため、通信を規制することにより、トラヒックのネットワークコントロールが実施される。
【０００３】
移動通信ネットワークには、回線交換（ＣＳ：  Ｃｉｒｃｕｉｔ  Ｓｗｉｔｃｈｉｎｇ）呼を処理するネットワークと、パケット交換（ＰＳ：  Ｐａｃｋｅｔ  Ｓｗｉｔｃｈｉｎｇ）呼を処理するネットワークとが含まれる。
【０００４】
しかし、ＣＳ呼とＰＳ呼のネットワークコントロールが、３ＧＰＰ（３ｒｄ  Ｇｅｎｅｒａｔｉｏｎ  Ｐａｒｔｎｅｒｓｈｉｐ  Ｐｒｏｊｅｃｔ）標準仕様で独立に制御できないように規定されているため、ＰＳ呼のトラヒック量が少ない状況のときでも、音声電話などのＣＳ呼の規制率にしたがってＰＳ呼が必要以上に規制されていた。
【０００５】
そこで、３ＧＰＰ標準仕様に、ＣＳ呼とＰＳ呼のネットワークコントロールを独立に行う機能を追加することが行われた（例えば、非特許文献１参照）。
【０００６】
従って、ＣＳ呼が規制されている場合でも、ＰＳ呼による通信が可能な場合がある。
【０００７】
通信端末に関して、入力された通話入力を認識し、該通話入力を通話内容データに変換し、該通話内容データを基に通話入力に関連する通話内容補助データを生成するものが知られている。該通信端末は、通話品質レベルが予め設定された基準レベル以下であるかどうかを判断し、通話品質レベルが予め設定された基準レベル以下になったと判断したとき、通話内容補助データを通話中の相手に送信する（例えば、特許文献１参照）。
【先行技術文献】
【特許文献】
【０００８】
【特許文献１】特開２００８−０４２３８６号公報
【非特許文献】
【０００９】
【非特許文献１】野口勝広、金内正臣、河端剛史、藤村広太  「ＦＯＭＡアクセス規制の回線交換／パケット交換分離機能」、ＮＴＴ  ＤｏＣｏＭｏテクニカル・ジャーナルＶｏｌ．１４  Ｎｏ．４  ２００７年１月
【発明の概要】
【発明が解決しようとする課題】
【００１０】
ＣＳ呼が規制されている場合に、規制されていないＰＳ呼に、許容される以上のトラヒックが集中する場合がある。ＰＳ呼に、許容される以上のトラヒックが集中した場合、ＰＳ呼も規制される場合がある。
【００１１】
ＣＳ呼及びＰＳ呼の両方が規制されるのを防止するためには、ネットワークに対する負荷を考慮する必要がある。
【００１２】
また、ＣＳ呼が規制されているためにＰＳ呼による通信を行うユーザは、着信者に声を聞かせたい要求がある。また、着信者にとっては、発信者の声を聞きたい要求がある。
【００１３】
本発明は、上記の点に鑑みてなされたものであり、ネットワーク側のトラヒックが逼迫した場合に、ネットワークへの負荷を低減しつつ、通信を行うことを目的とする。
【課題を解決するための手段】
【００１４】
上記の課題を解決するために、
ユーザ端末は、
回線交換網を介して発信が行われる際に、該回線交換網へのアクセスが規制されているかどうかを判定する規制状態判定部と、
該規制状態判定部により前記回線交換網へのアクセスが規制されていると判定された場合に、発信者による所定の操作に従って、テキストデータに、該発信者から着信者への音声メッセージを変換し、パケット化する音声メッセージ変換部と、
パケット交換網を介して、前記音声メッセージ変換部によりパケット化された音声メッセージを送信するように制御する通信制御部と
を有する、ユーザ端末として達成される。
【００１５】
ユーザ端末は、
パケット交換網を介して送信されたパケットから、発信者を識別するための情報を取得する発信者情報取得部と、
該発信者情報取得部により取得される発信者を識別するための情報に基づいて、音声メッセージに、前記パケットに含まれるテキストデータを変換する際に利用する音声パラメータを設定する出力音声設定部と、
該出力音声設定部により設定された音声パラメータを利用して、音声メッセージに、前記テキストデータを変換する音声メッセージ再生制御部と、
該音声メッセージ再生制御部により変換された音声メッセージを出力する出力部と
を有する、ユーザ端末として達成される。
【００１６】
１又は複数のユーザに関する情報を含む電話帳
を有し、
前記出力音声設定部は、前記発信者に対応する電話帳に該発信者の声を合成するための音声パラメータが登録されている場合には、該発信者の声を合成するための音声パラメータを設定する、ように構成してもよい。
【００１７】
所定の条件により、複数のカテゴリに、発信者を分類するための発信者分類テーブルと、
各カテゴリに分類される１又は複数の発信者により利用される再生用パラメータを含む音声パラメータテーブルと
を有し、
前記出力音声設定部は、発信者に対応する電話帳に含まれる情報に基づいて、前記発信者分類テーブルから該発信者が分類されるカテゴリを特定し、前記音声パラメータテーブルから、該カテゴリに対応する音声パラメータを特定し、該音声パラメータを設定する、ように構成してもよい。
【００１８】
前記出力音声設定部は、予めインストールされた音声データに基づく音声パラメータを設定する、ように構成してもよい。
【００１９】
前記音声データは、ネットワークからダウンロードすることにより得られた音声データ又は録音された音声に基づく音声データである、ように構成してもよい。
【００２０】
無線通信システムは、
発信側のユーザ端末から、着信側のユーザ端末へ、メッセージを送信する無線通信システムであって、
前記発信側のユーザ端末は、
回線交換網を介して発信が行われる際に、該回線交換網へのアクセスが規制されているかどうかを判定する規制状態判定部と、
該規制状態判定部により前記回線交換網へのアクセスが規制されていると判定された場合に、発信者による所定の操作に従って、テキストデータに、該発信者から着信者への音声メッセージを変換し、パケット化する音声メッセージ変換部と、
パケット交換網を介して、前記音声メッセージ変換部によりパケット化された音声メッセージを送信するように制御する通信制御部と
を有し、
着信側のユーザ端末は、
パケット交換網を介して送信されたパケットから、発信者を識別するための情報を取得する発信者情報取得部と、
該発信者情報取得部により取得される発信者を識別するための情報に基づいて、音声メッセージに、該パケットに含まれるテキストデータを変換する際に利用する音声パラメータを設定する出力音声設定部と、
該出力音声設定部により設定された音声パラメータを利用して、音声メッセージに、前記テキストデータを変換する音声メッセージ再生制御部と、
該音声メッセージ再生制御部により変換された音声メッセージを出力する出力部と
を有する、無線通信システムとして達成される。
【００２１】
また、上記無線通信システムが実行する通信方法として構成することもできる。
【発明の効果】
【００２２】
開示された実施例によれば、ネットワーク側のトラヒックが逼迫した場合に、ネットワークへの負荷を低減しつつ、通信を行うための技術を提供することが可能となる。
【図面の簡単な説明】
【００２３】
【図１】無線通信システムの一実施例を示す図である。
【図２】ユーザ端末の一実施例を示す図である。
【図３】ユーザ端末の一実施例を示す機能ブロック図である。
【図４】ユーザ端末の一実施例を示す図である。
【図５】電話帳の一実施例を示す図である。
【図６】発信者分類テーブルの一実施例を示す図である。
【図７】音声パラメータテーブルの一実施例を示す図である。
【図８】ユーザ端末の一実施例を示す機能ブロック図である。
【図９】ユーザ端末の動作の一実施例を示すフローチャートである。
【図１０】ユーザ端末の動作の一実施例を示すフローチャートである。
【図１１】ユーザ端末の動作の一実施例を示すフローチャートである。
【発明を実施するための形態】
【００２４】
以下、図面に基づいて、実施例を説明する。
なお、実施例を説明するための全図において、同一機能を有するものは同一符号を用い、繰り返しの説明は省略する。
【００２５】
＜実施例＞
＜無線通信システム＞
図１は、無線通信システムの一実施例を示す。
【００２６】
図１には、第１の無線通信システム（添え字「１」により表す）と、第２の無線通信システム（添え字「２」により表す）が示される。第１の無線通信システムにより無線通信を行うユーザ端末１００１から、第２の無線通信システムにより無線通信を行うユーザ端末１００２へ、ＣＳ回線により発呼することが試みられる。しかし、第１の無線通信システムの基地局２００１によりカバーされるセル２５０１のＣＳ回線へのアクセスが規制されている。従って、ユーザ端末１００１は、ＣＳ回線により発呼することができない。
【００２７】
第１の無線通信システムと、第２の無線通信システムは、同じ事業者により運営されてもよいし、異なる事業者により運営されてもよい。
【００２８】
ユーザ端末１００１、１００２は、ユーザが通信することができる適切な如何なる移動通信端末でもよく、例えば、携帯電話、情報端末、パーソナルディジタルアシスタント、携帯用パーソナルコンピュータ等が含まれるが、これらに限定されない。
【００２９】
無線通信システムは、主に無線アクセス制御を行う無線アクセスネットワーク（ＲＡＮ：  Ｒａｄｉｏ  Ａｃｃｅｓｓ  Ｎｅｔｗｏｒｋ）（図示なし）と、移動管理、呼制御、サービス制御等を行うコアネットワーク（ＣＮ：  Ｃｏｒｅ  Ｎｅｔｗｏｒｋ）６００に分類される。
【００３０】
ＲＡＮには、無線基地局（ＢＴＳ：  Ｂａｓｅ  Ｔｒａｎｓｃｅｉｖｅｒ  Ｓｔａｔｉｏｎ）２００１（２００２）及び無線ネットワーク制御装置（ＲＮＣ：Ｒａｄｉｏ  Ｎｅｔｗｏｒｋ  Ｃｏｎｔｒｏｌｌｅｒ）３００１（３００２）が含まれる。
【００３１】
コアネットワーク６００は、回線交換（ＣＳ：  Ｃｉｒｃｕｉｔ  Ｓｗｉｔｃｈｅｄ）ドメイン、パケット交換（ＰＳ：  Ｐａｃｋｅｔ  Ｓｗｉｔｃｈｅｄ）ドメインから構成される。一般に、ＣＳドメインは音声系サービスを提供し、ＰＳドメインはデータ通信系サービスを提供する。
【００３２】
ユーザ端末に対して各ドメインのサービスを提供するノードとして、加入者階梯交換機（図示なし）が含まれる。
【００３３】
ユーザ端末に対して各ドメインのサービスを提供するノードとして、関門階梯交換機（図示なし）が含まれる。音声呼を処理する関門階梯交換機とパケット呼を処理する関門階梯交換機が存在する。同一の装置に実装されていてもよい。
【００３４】
図１に示される例では、加入者階梯交換機、関門階梯交換機は、交換機４００１（４００２）により表される。
【００３５】
ここでは、主に、セルへのアクセス規制が実行されている場合を一例として説明するが、セル・交換機の両方へのアクセス規制が実行されている場合、交換機へのアクセス規制が実行されている場合についても同様である。
【００３６】
発信側、すなわち第１の無線通信システムの基地局２００１によりカバーされるセル２５０１のＣＳ回線へのアクセス規制が実行されている場合には、基地局２００１からアクセス規制に関する情報を含む報知情報が送信される。
【００３７】
基地局２００１に在圏するユーザ端末１００１に、回線交換により発呼をする操作が行われた場合、ＣＳ回線へのアクセス規制が実行されているため、発呼ができない。この場合、発信者による要求に応じて、ユーザ端末１００１は、着信者への音声メッセージをテキストデータに変換する。以下、テキストデータに変換された音声メッセージを「音声テキストデータ」という。具体的には、ユーザ端末１００１は、発信者により発せられた音声メッセージを音声認識することにより、音声テキストデータへ変換する。発信者は、所定の操作を行うことにより、ユーザ端末１００１に、音声テキストデータに、着信者への音声メッセージを変換させることができる。該ユーザ端末１００１は、音声テキストデータをエンコードし、パケット化する。該ユーザ端末１００１は、ＰＳ回線を介して、ユーザ端末１００２へ、パケット化された音声テキストデータ（以下、「音声テキストパケット」という）を送信する。
【００３８】
音声テキストパケットは、ＢＴＳ２００１、ＲＮＣ３００１、交換機４００１、交換機４００２、ＲＮＣ３００２、ＢＴＳ２００２を介して、着信者のユーザ端末１００２へ送信される。
【００３９】
ユーザ端末１００２は、ユーザ端末１００１からの音声テキストパケットを受信する。ユーザ端末１００２は、音声テキストパケットをデコードすることにより、音声テキストデータへ変換する。ユーザ端末１００２は、音声メッセージへ、音声テキストデータを変換する。ユーザ端末１００２は、音声メッセージを出力する。音声メッセージへ、音声テキストデータを変換する際に、ユーザ端末１００２は、音声メッセージを出力する音声を決定する。
【００４０】
具体的には、ユーザ端末１００２は、音声テキストパケットの発信者に対応する電話帳を参照し、発信者固有の音声パラメータが登録されている場合には、該発信者固有の音声パラメータを利用して発信者の音声を合成する。発信者固有の音声パラメータが登録されていない場合には、音声テキストパケットの発信者に対応する電話帳に含まれる情報に基づいて、該発信者の特徴に応じた音声を合成できる音声パラメータを利用して、音声を合成する。
【００４１】
また、ユーザ端末１００２は、音声データが予めインストールされている場合には、該音声データに基づく音声パラメータを利用して音声を合成するようにしてもよい。音声データは、発信側のユーザの音声に対応するものであってもよい。また、予めインストールされている音声データが複数である場合には、該複数の音声データから、ユーザ端末１００２により音声が合成される際に利用する音声データが選択される。音声データが解析されることにより、該音声データに対応する音声パラメータが設定されてもよい。
【００４２】
音声データは、音声メッセージへ、音声テキストデータを変換する際に取得されてもよい。例えば、ユーザ端末１００２は、ネットワークから、音声データをダウンロードするようにしてもよい。また、ユーザ端末１００２は、通話の際に発信者の音声を録音し、該録音された音声に基づく音声データを取得するようにしてもよい。音声が解析されることにより、該音声に対応する音声データが設定されてもよい。
【００４３】
＜ユーザ端末１００１＞
図２は、ユーザ端末１００１の一実施例を示す。図２には、主にハードウェア構成が示される。
【００４４】
ユーザ端末１００１は、入力部１０２と、出力部１０４と、通信制御部１０６と、無線部１０８と、記憶部１１０と、マイクロプロセッサ（ＭＰＵ：  Ｍｉｃｒｏ−Ｐｒｏｃｅｓｓｉｎｇ  Ｕｎｉｔ）１１２とを有する。各機能ブロックは、バス１５０により接続される。
【００４５】
ＭＰＵ１１２は、入力部１０２、出力部１０４、通信制御部１０６、無線部１０８、及び記憶部１１０の制御を行う。ＭＰＵ１１２は、記憶部１１０に記憶されたプログラムに従って機能し、所定の処理を行う。
【００４６】
記憶部１１０は、アプリケーションと、オペレーティングシステム（ＯＳ：  Ｏｐｅｒａｔｉｎｇ  Ｓｙｓｔｅｍ）とを有する。アプリケーションは、ユーザがユーザ端末１００１上で実行する作業を実施する機能を有するソフトウェアである。オペレーティングシステムは、ユーザ端末１００１において、ハードウェアを抽象化したインターフェースをアプリケーションソフトウェアに提供するソフトウェアである。
【００４７】
入力部１０２は、例えば、キーボードやマウスにより構成され、当該ユーザ端末１００１への指示や、データの入力を行うための装置である。また、タッチパネルにより構成されてもよい。また、入力部１０２は、例えば、マイクにより構成され、ユーザにより発せられた音声メッセージを入力する。該音声メッセージには、着信者へのメッセージや、当該ユーザ端末１００１への指示が含まれてもよい。該指示には、オペレーティングシステムに対するものや、アプリケーションに対するものが含まれる。
【００４８】
出力部１０４は、例えば、ディスプレイにより構成され、当該ユーザ端末１００１による処理状態や処理結果を表示する。また、出力部１０４は、例えば、スピーカにより構成され、ユーザに対して、音を出力するようにしてもよい。該処理状態や処理結果には、オペレーティングシステムやアプリケーションによるものが含まれる。ディスプレイには、液晶ディスプレイ（ＬＣＤ：  Ｌｉｑｕｉｄ  Ｃｒｙｓｔａｌ  Ｄｉｓｐｌａｙ）、ＣＲＴ（Ｃａｔｈｏｄ  Ｒａｙ  Ｔｕｂｅ）ディスプレイ、プラズマディスプレイ（ＰＤＰ：  Ｐｌａｓｍａ  Ｄｉｓｐｌａｙ  Ｐａｎｅｌ）、有機ＥＬ（Ｅｌｅｃｔｒｏ−Ｌｕｍｉｎｅｓｃｅｎｃｅ）ディスプレイなどが含まれる。
【００４９】
通信制御部１０６は、上りリンクの信号を送信するための制御を行う。ＣＳ網への上りリンクの信号、ＰＳ網への上りリンクの信号の両方を含む。また、通信制御部１０６は、無線部１０８により入力されるべき下りリンクの信号を受信するための制御を行う。ＣＳ網からの下りリンクの信号、ＰＳ網からの下りリンクの信号の両方を含む。
【００５０】
無線部１０８は、ＭＰＵ１１２による制御により、基地局２００１との間で、所定の無線通信方式により無線通信を行う。該無線通信方式には、ＧＳＭ（登録商標）、Ｗ−ＣＤＭＡが含まれる。また、ＬＴＥが含まれてもよい。例えば、通信制御部１０６により生成されるべき、上りリンクの信号を無線信号に変換して送信する。また、基地局２００１からの無線信号をベースバンド信号に変換する。
【００５１】
＜ユーザ端末１００１の機能＞
図３は、ユーザ端末１００１を示す機能ブロック図である。図３には、記憶部１１０に格納されたプログラムに従って、ＭＰＵ１１２により実行される機能が主に示される。
【００５２】
ユーザ端末１００１は、規制状態判定部１１２２と、規制状態設定部１１２４と、音声発信判定部１１２６と、音声メッセージ通信制御部１１２８と、音声メッセージ変換部１１３０とを有する。
【００５３】
規制状態判断部１１２２は、通信制御部１０６と接続される。規制状態判断部１１２２には、通信制御部１０６から、当該ユーザ端末１００１により受信されるべき報知情報が入力される。規制状態判断部１１２２は、該報知情報に含まれる規制情報に基づいて、当該ユーザ端末１００１に対してアクセス規制が実行されているかどうかを判断する。ＣＳ回線及びＰＳ回線のそれぞれについて判断されてもよい。具体的には、規制状態判断部１１２２は、報知情報に含まれるべき規制に関する情報（Ｓｙｓｔｅｍ  Ｉｎｆｏｒｍａｔｉｏｎ  Ｂｌｏｃｋ  Ｔｙｐｅ  ３）のアクセス不可情報（Ｃｅｌｌ  Ｂａｒｒｅｄ）、規制率情報（Ｃｅｌｌ  Ａｃｃｅｓｓ  Ｒｅｓｔｒｉｃｔｉｏｎ）に基づいて判断するようにしてもよい。アクセス不可情報及び規制率情報は、ＣＳ回線及びＰＳ回線のそれぞれについて用意されてもよい。規制状態判断部１１２２は、規制状態設定部１１２４に、規制状態の判断結果を表す情報を入力する。
【００５４】
規制状態設定部１１２４は、規制状態判断部１１２２と接続される。規制状態設定部１１２４は、規制状態判断部１１２２により入力されるべき規制状態の判断結果を表す情報に従って、規制状態を設定する。
【００５５】
音声発信判定部１１２６は、入力部１０２、出力部１０４、規制状態設定部１１２４と接続される。音声発信判定部１１２６には、ユーザにより音声発信の操作が行われた場合に、入力部１０２から音声発信操作信号が入力される。音声発信判定部１１２６は、音声発信操作信号が入力された場合に、規制状態設定部１１２４に設定されるべき規制状態を参照し、当該ユーザ端末１００１によりＣＳ回線へのアクセス規制が実行されているかどうかを判定する。
【００５６】
音声発信判定部１１２６は、当該ユーザ端末１００１によりＣＳ回線へのアクセス規制が実行されていないと判定した場合、周期的に、当該ユーザ端末１００１によりＣＳ回線へのアクセス規制が実行されているかどうかを判定するようにしてもよい。
【００５７】
音声発信判定部１１２６は、当該ユーザ端末１００１によりＣＳ回線へのアクセス規制が実行されていると判定した場合、出力部１０４に、当該ユーザ端末１００１によりＣＳ回線へのアクセス規制が実行されていることを表す音声発信不可通知信号を入力する。出力部１０４は、音声発信判定部１１２６から音声発信不可通知信号が入力された場合に、ユーザに、音声発信ができないことを通知する。具体的には、音声発信ができないことを表示したり、音声ガイダンスにより音声により通知したりしてもよい。音声発信判定部１１２６は、音声発信ができないと判断した場合に、音声メッセージ通信制御部１１２８に、音声発信ができないことを表す情報を入力する。
【００５８】
音声メッセージ通信制御部１１２８は、入力部１０２と、出力部１０４と、音声発信判定部１１２６と接続される。音声メッセージ通信制御部１１２８は、音声発信判定部１１２６から、音声発信ができないことを表す情報が入力された場合に、出力部１０４に、音声メッセージを送信するかどうかを問い合わせるための信号（以下、「音声メッセージ送信問い合わせ信号」という）を入力する。出力部１０４は、音声メッセージ通信制御部１１２８から音声メッセージ送信問い合わせ信号が入力された場合、ユーザに、音声メッセージを送信するかどうかを問い合わせるための情報を出力する。具体的には、音声メッセージを送信するかどうかを問い合わせるメッセージを表示したり、音声ガイダンスにより音声メッセージを送信するかどうかを問い合わせたりしてもよい。
【００５９】
ユーザ端末１００１からの音声メッセージを送信するかどうかを問い合わせるための情報に対して、ユーザは、入力部１０２を操作することにより回答することができる。ユーザによる回答（以下、「音声メッセージ送信操作信号」という）は、音声メッセージ通信制御部１１２８に入力される。音声メッセージ通信制御部１１２８は、入力部１０２から、音声メッセージ送信操作信号が入力され、該音声メッセージ送信操作信号が音声メッセージを送信することを表す場合、出力部１０４に、ユーザに音声メッセージを依頼することを表す情報（以下、「音声メッセージ依頼信号」という）を入力するとともに、音声メッセージ変換部１１３０に、音声テキストパケットを生成するように命令する。出力部１０４は、音声メッセージ通信制御部１１２８からの音声メッセージ依頼信号に従って、音声メッセージを依頼するガイダンスを出力する。
【００６０】
音声メッセージ変換部１１３０は、入力部１０２と、通信制御部１０６と、音声メッセージ通信制御部１１２８と接続される。音声メッセージ変換部１１３０は、音声メッセージ通信制御部１１２８から、音声テキストパケットを生成する命令が入力された場合に主に機能する。音声メッセージ変換部１１３０に、音声メッセージ通信制御部１１２８から音声テキストパケットを生成する命令が入力された際に、出力部１０４からは音声メッセージを依頼するガイダンスが出力される。該音声メッセージを依頼するガイダンスに従って、ユーザが音声メッセージを発すると、該音声メッセージは、入力部１０２を介して、音声メッセージ変換部１１３０に入力される。音声メッセージ変換部１１３０は、音声テキストデータに、入力部１０２からの音声メッセージを変換する。また、音声メッセージ変換部１１３０は、該音声テキストデータをエンコードし、パケット化することにより音声テキストパケットを生成する。該音声テキストパケットには、発信側のユーザ端末１００１の識別子と、着信側のユーザ端末１００２の識別子とが含まれる。音声メッセージ変換部１１３０は、通信制御部１０６に、音声テキストパケットを入力する。通信制御部１０６は、着信側のユーザ端末１００２に、音声メッセージ変換部１１３０からの音声テキストパケットを送信するための制御を行う。
【００６１】
＜ユーザ端末１００２＞
図４は、ユーザ端末１００２の一実施例を示す。図４には、主にハードウェア構成が示される。
【００６２】
ユーザ端末１００２は、入力部１０２と、出力部１０４と、通信制御部１０６と、無線部１０８と、記憶部１１０と、ＭＰＵ１１２とを有する。各機能ブロックは、バス１５０により接続される。記憶部１１０には、電話帳１１０２と、発信者分類テーブル１１０４と、音声パラメータテーブル１１０６とが格納される。図２を参照して説明したユーザ端末１００１と、記憶部１１０に、電話帳１１０２と、発信者分類テーブル１１０４と、音声パラメータテーブル１１０６とが格納される点で異なる。
【００６３】
ＭＰＵ１１２は、入力部１０２、出力部１０４、通信制御部１０６、無線部１０８、及び記憶部１１０の制御を行う。ＭＰＵ１１２は、記憶部１１０に記憶されたプログラムに従って機能し、所定の処理を行う。
【００６４】
記憶部１１０は、アプリケーションと、オペレーティングシステムとを有する。アプリケーションは、ユーザがユーザ端末１００２上で実行する作業を実施する機能を有するソフトウェアである。オペレーティングシステムは、ユーザ端末１００２において、ハードウェアを抽象化したインターフェースをアプリケーションソフトウェアに提供するソフトウェアである。
【００６５】
図５は、記憶部１１０に格納される電話帳１１０２の一実施例を示す。
【００６６】
電話帳１１０２には、予め登録される１又は複数のユーザに関する情報が含まれる。例えば、電話帳１１０２には、１ユーザに関する情報として、氏名、電話番号、電子メールアドレス、生年月日、性別、固有音声パラメータが登録されているかどうかを示す情報が含まれる。固有音声パラメータは、ユーザの音声を合成する際に利用される音声パラメータである。該音声パラメータを利用することにより、該ユーザの音声を合成することができる。
【００６７】
図５に示される例では、１ユーザに関する情報として、氏名「ＡＡＡ」、電話番号「０９０−１２３４−５６７８」、電子メールアドレス「○○○＠ＸＸＸ．ｎｅ．ｊｐ」、生年月日「△△△△年□□月ＹＹ日」、性別「男」、固有音声パラメータ「無」が含まれる。固有音声パラメータ「無」は、固有音声パラメータが登録されていないことを表す。電話帳１１０２に、図５に示される情報のうち、一部の情報が含まれてもよいし、他の情報が含まれてもよい。
【００６８】
図６は、記憶部１１０に格納される発信者分類テーブル１１０４の一実施例を示す。
【００６９】
発信者分類テーブル１１０４には、所定の条件により、複数のカテゴリに、発信者を分類するための情報が含まれる。具体的には、発信者を分類するための所定の条件には、発信者が「男性」であるか「女性」であるか、さらに、発信者が「子ども」、「大人」、「壮年」のいずれかであるか等が含まれる。図６に示される所定の条件は一例であり、適宜条件の設定が可能である。発信者分類テーブル１１０４は、主に、電話帳に含まれる情報のうち、「固有音声パラメータ」が「無」である場合に利用される。発信者分類テーブル１１０４により、発信者が「Ａ」、「Ｂ」、「Ｃ」、「Ｄ」、「Ｅ」、及び「Ｆ」のいずれかに分類される。発信者分類テーブル１１０４は、音声メッセージに、ユーザ端末１００１からの音声テキストパケットに含まれる音声テキストデータを変換する際に利用される。
【００７０】
図７は、記憶部１１０に格納される音声パラメータテーブル１１０６の一実施例を示す。
【００７１】
音声パラメータテーブル１１０６には、発信者分類リスト１１０４により分類されるカテゴリ毎に、音声メッセージに、ユーザ端末１００１からの音声テキストパケットに含まれる音声テキストデータを変換する際に利用される再生用パラメータが含まれる。再生用パラメータには、基本周波数Ｆ０、再生速度、抑揚、アクセント音調が含まれる。これらは一例であり、これらのうちの一部のパラメータが利用されてもよいし、これら以外のパラメータが利用されてもよい。
【００７２】
具体的には、発信者が「男性」、「子ども」に該当する発信者識別子「Ａ」である場合には、再生用パラメータとして「基本周波数Ｆ０」がＸＨｚ、「再生速度」が１．５倍、「抑揚」が変動大、「アクセント音調」がセット１に設定される。該再生用パラメータを利用して音声が合成されることにより、男の子の音声を合成できる。
【００７３】
同様に、発信者が「男性」、「大人」に該当する発信者識別子「Ｂ」である場合には、再生用パラメータとして「基本周波数Ｆ０」がＹＨｚ、「再生速度」が１．０倍、「抑揚」が変動中、「アクセント音調」がセット２に設定される。該再生用パラメータを利用して音声が合成されることにより、大人の男性の音声を合成できる。
【００７４】
同様に、発信者が「男性」、「壮年」に該当する発信者識別子「Ｃ」である場合には、再生用パラメータとして「基本周波数Ｆ０」がＺＨｚ、「再生速度」が０．６倍、「抑揚」が変動無し、「アクセント音調」がセット３に設定される。該再生用パラメータを利用して音声が合成されることにより、壮年の男性の音声を合成できる。
【００７５】
ここで、アクセント音調に関して、「セット１」−「セット３」により、アクセントと、音調との組み合わせが予め設定されてもよい。また、アクセントと、音調に関して個別に設定されてもよい。
【００７６】
入力部１０２は、例えば、キーボードやマウスにより構成され、当該ユーザ端末１００２への指示や、データの入力を行うための装置である。また、タッチパネルにより構成されてもよい。また、入力部１０２は、例えば、マイクにより構成され、ユーザにより発せられた音声メッセージを入力する。該音声メッセージには、着信者へのメッセージや、当該ユーザ端末１００２への指示が含まれてもよい。該指示には、オペレーティングシステムに対するものや、アプリケーションに対するものが含まれる。
【００７７】
出力部１０４は、例えば、ディスプレイにより構成され、当該ユーザ端末１００２による処理状態や処理結果を表示する。また、出力部１０４は、例えば、スピーカにより構成され、ユーザに対して、音を出力するようにしてもよい。該処理状態や処理結果には、オペレーティングシステムやアプリケーションによるものが含まれる。ディスプレイには、液晶ディスプレイ、ＣＲＴディスプレイ、プラズマディスプレイ、有機ＥＬディスプレイなどが含まれる。
【００７８】
通信制御部１０６は、上りリンクの信号を送信するための制御を行う。ＣＳ網への上りリンクの信号、ＰＳ網への上りリンクの信号の両方を含む。また、通信制御部１０６は、無線部１０８により入力されるべき下りリンクの信号を受信するための制御を行う。ＣＳ網からの下りリンクの信号、ＰＳ網からの下りリンクの信号の両方を含む。
【００７９】
無線部１０８は、ＭＰＵ１１２による制御により、基地局２００２との間で、所定の無線通信方式により無線通信を行う。該無線通信方式には、ＧＳＭ（登録商標）、Ｗ−ＣＤＭＡが含まれる。また、ＬＴＥが含まれてもよい。例えば、通信制御部１０６により生成されるべき、上りリンクの信号を無線信号に変換して送信する。また、基地局２００２からの無線信号をベースバンド信号に変換する。
【００８０】
＜ユーザ端末１００２の機能＞
図８は、ユーザ端末１００１を示す機能ブロック図である。図８には、記憶部１１０に格納されたプログラムに従って、ＭＰＵ１１２により実行される機能が主に示される。
【００８１】
ユーザ端末１００２は、発信者情報取得部１１３２と、出力音声設定部１１３４と、音声メッセージ再生制御部１１３６とを有する。
【００８２】
発信者情報取得部１１３２は、通信制御部１０６と、記憶部１１０と接続される。発信者情報取得部１１３２には、ユーザ端末１００１からの音声テキストパケットが入力される。発信者情報取得部１１３２は、音声テキストパケットに含まれる発信者を表す情報を取得する。具体的には、発信者情報取得部１１３２は、発信側のユーザ端末の識別子を取得する。発信者情報取得部１１３２は、記憶部１１０に格納された電話帳１１０２から、発信側のユーザ端末１００１に対応する電話帳を取得する。発信者情報取得部１１３２は、出力音声設定部１１３４に、発信側のユーザ端末１００１に対応する電話帳を入力する。
【００８３】
出力音声設定部１１３４は、発信者情報取得部１１３２と、記憶部１１０と接続される。出力音声設定部１１３４は、発信者情報取得部１１３２からの発信側のユーザ端末１００１に対応する電話帳に、固有音声パラメータが登録されているかどうかを判定する。固有音声パラメータが登録されていると判定された場合、出力音声設定部１１３４は、音声メッセージ再生制御部１１３６に、該固有音声パラメータを表す情報を入力する。固有音声パラメータが登録されていないと判定された場合、出力音声設定部１１３４は、記憶部１１０に格納された発信者分類テーブル１１０４を参照し、発信側のユーザ端末１００１に対応する電話帳に含まれる情報に基づいて、発信者が分類されるカテゴリを表す発信者識別子を取得する。出力音声設定部１１３４は、記憶部１１０に格納された音声パラメータテーブル１１０６から、発信者識別子に対応する再生パラメータを取得する。
【００８４】
また、固有音声パラメータが登録されていないと判定された場合、出力音声設定部１１３４は、音声データが予めインストールされている場合には、該音声データに基づく音声パラメータを取得するようにしてもよい。音声データは、発信側のユーザの音声に対応するものであってもよい。また、予めインストールされている音声データが複数ある場合には、該複数の音声データから、出力音声設定部１１３４は、音声を合成する際に利用する音声データを選択する。音声データが解析されることにより、該音声データに対応する音声パラメータが設定されてもよい。
【００８５】
音声データは、音声メッセージへ、音声テキストデータを変換する際に取得されてもよい。例えば、ユーザ端末１００２は、ネットワークから、音声データをダウンロードするようにしてもよい。また、ユーザ端末１００２は、通話の際に発信者の音声を録音し、該録音された音声に基づく音声データを取得するようにしてもよい。音声が解析されることにより、該音声に対応する音声データが設定されてもよい。
【００８６】
出力音声設定部１１３４は、音声メッセージ再生制御部１１３６に、該再生パラメータを表す情報を入力する。
【００８７】
音声メッセージ再生制御部１１３６は、通信制御部１０６と、出力音声設定部１１３４と、出力部１０４と接続される。音声メッセージ再生制御部１１３６には、通信制御部１０６から音声テキストパケットが入力され、出力音声設定部１１３４から固有音声パラメータを表す情報又は再生用パラメータを表す情報が入力される。音声メッセージ再生制御部１１３６は、音声メッセージに、音声テキストパケットに含まれる音声テキストデータを変換する。音声テキストデータを変換する際に、音声メッセージ再生制御部１１３６は、固有音声パラメータ又は再生用パラメータを利用する。音声メッセージ再生制御部１１３６は、出力部１０４に、音声メッセージを入力する。出力部１０４は、音声メッセージを出力する。
【００８８】
発信側のユーザ端末１００１が、発信側のユーザ端末１００１の機能に加え、着信側のユーザ端末１００２の機能を有するようにしてもよい。
【００８９】
また、着信側のユーザ端末１００２が、着信側のユーザ端末１００２の機能に加え、発信側のユーザ端末１００１の機能を有するようにしてもよい。
【００９０】
＜無線通信システムの動作（その１）＞
無線通信システムの動作の一実施例を説明する。発信側のユーザ端末１００１の動作と、着信側のユーザ端末１００２の動作に分けて説明する。
【００９１】
＜ユーザ端末１００１の動作＞
図９は、ユーザ端末１００１の動作の一実施例を示す。
【００９２】
ユーザ端末１００１は、ＣＳ回線へのアクセス規制が実行されていることを検出する（ステップＳ９０２）。つまり、音声発信判定部１１２６は、ＣＳ回線へのアクセス規制が実行されていることを検出する。
【００９３】
ユーザ端末１００１は、音声テキストデータへ、音声メッセージを変換し、着信者に伝えるための操作が実行されたかどうかを判定する（ステップＳ９０４）。つまり、音声メッセージ通信制御部１１２８は、音声メッセージを送信するための操作が行われたかどうかを判定する。
【００９４】
音声テキストデータへ、音声メッセージを変換し、着信者に伝えるための操作が実行されたと判定されない場合（ステップＳ９０４：ＮＯ）、終了する。
【００９５】
音声テキストデータへ、音声メッセージを変換し、着信者に伝えるための操作が実行されたと判定される場合（ステップＳ９０４：ＹＥＳ）、ユーザ端末１００１は、テキストデータへ、音声メッセージを変換し、パケット化する（ステップＳ９０６）。つまり、音声メッセージ変換部１１３０は、テキストデータへ、音声メッセージを変換し、パケット化することにより音声テキストパケットを生成する。
【００９６】
ユーザ端末１００１は、着信側のユーザ端末１００２の電子メールアドレスを取得できるかどうかを判定する（ステップＳ９０８）。つまり、通信制御部１０６は、着信側のユーザ端末１００２の電子メールアドレスを取得できるかどうかを判定する。
【００９７】
着信側のユーザ端末１００２の電子メールアドレスを取得できると判定されない場合（ステップＳ９０８：ＮＯ）、後述する図１１のステップＳ１１０８に遷移する。図１１のステップＳ１１０８に遷移せずに終了するようにしてもよい。
【００９８】
着信側のユーザ端末１００２の電子メールアドレスを取得できると判定される場合（ステップＳ９０８：ＹＥＳ）、ユーザ端末１００１は、電子メールアドレスを利用して、音声テキストパケットを送信する（ステップＳ９１０）。つまり、通信制御部１０６は、電子メールアドレスを利用して、ＰＳ回線により、音声テキストパケットを送信する。
【００９９】
ＭＰＵ１１２をユーザ端末１００１として機能させるためのプログラムは、例えば、フレキシブルディスク、ＣＤ−ＲＯＭ、メモリカード等の記録媒体に記録された状態で提供される。また、プログラムを、ＣＮ６００を介してダウンロードするようにしてもよい。この記録媒体をコンピュータの補助記憶装置に挿入すると、記録媒体に記録されたプログラムが読み取られる。ＭＰＵ１１２は、読み込んだプログラムをＲＡＭあるいはＨＤＤに書き込み、処理を実行する。プログラムは、コンピュータに、図９の各ステップＳ９０２−Ｓ９１０の処理を実行させる。また、例えば、プログラムは、少なくとも一部のステップを実行されるようにしてもよい。
【０１００】
＜ユーザ端末１００２の動作＞
図１０は、ユーザ端末１００２の動作の一実施例を示す。
【０１０１】
ユーザ端末１００２は、ユーザ端末１００１からの音声テキストパケットを受信する（ステップＳ１００２）。つまり、ユーザ端末１００１からの音声テキストパケットが、無線部１０８から、通信制御部１０６を介して、発信者情報取得部１１３２に入力される。
【０１０２】
ユーザ端末１００２は、音声テキストパケットの発信者の情報を取得する（ステップＳ１００４）。つまり、発信者情報取得部１１３２は、音声テキストパケットに含まれる発信者の識別子に基づいて、記憶部１１０に格納される電話帳１１０２から、発信者に対応するものを取得する。発信者情報取得部１１３２は、出力音声設定部１１３４に、発信者に対応する電話帳を入力する。
【０１０３】
ユーザ端末１００２は、発信者の固有音声パラメータが登録されているかどうかを判定する（ステップＳ１００６）。つまり、出力音声設定部１１３４は、発信者情報取得部１１３２からの電話帳に、発信者の固有音声パラメータが含まれるかどうかを判定する。
【０１０４】
発信者情報取得部１１３２からの電話帳に、発信者の固有音声パラメータが含まれると判定された場合（ステップＳ１００６：ＹＥＳ）、ユーザ端末１００２は、固有音声パラメータを利用して、音声メッセージに、音声テキストデータを変換する（ステップＳ１００８）。つまり、音声メッセージ再生制御部１１３６は、固有音声パラメータを利用して、音声メッセージに、音声テキストデータを変換する制御を行う。
【０１０５】
ユーザ端末１００２は、音声メッセージを出力する。つまり、出力部１０４は、音声メッセージを出力する。
【０１０６】
発信者情報取得部１１３２からの電話帳に、発信者の固有音声パラメータが含まれないと判定された場合（ステップＳ１００６：ＮＯ）、ユーザ端末１００２は、発信者に対応する電話帳に含まれる情報に基づいて、発信者分類テーブル１１０４から、発信者が分類されるカテゴリを表す発信者識別子を取得する（ステップＳ１０１２）。つまり、出力音声設定部１１３４は、発信者に対応する電話帳に含まれる情報に基づいて、発信者分類テーブル１１０４から、発信者が分類されるカテゴリを表す発信者識別子を取得する。
【０１０７】
ユーザ端末１００２は、音声パラメータ１１０６から、発信者識別子に対応する再生用パラメータを取得する（ステップＳ１０１４）。つまり、出力音声設定部１１３４は、音声パラメータテーブル１１０６から、発信者識別子に対応する再生パラメータを取得する
ユーザ端末１００２は、再生用パラメータを利用して、音声メッセージに、音声テキストデータを変換する（ステップＳ１０１６）。つまり、音声メッセージ再生制御部１１３６は、再生用パラメータを利用して、音声メッセージに、音声テキストデータを変換する制御を行う。
【０１０８】
ユーザ端末１００２は、音声メッセージを出力する（ステップＳ１０１８）。つまり、出力部１０４は、音声メッセージを出力する。
【０１０９】
図１０に示されるフローチャートのステップＳ１００６において、発信者情報取得部１１３２からの電話帳に、発信者の固有音声パラメータが含まれないと判定された場合（ステップＳ１００６：ＮＯ）、ユーザ端末１００２は、音声データが予めインストールされている場合には、該音声データに基づく再生用パラメータを取得するようにしてもよい。音声データは、発信側のユーザの音声に対応するものであってもよい。また、予めインストールされている音声データが複数ある場合には、該複数の音声データから、ユーザ端末１００２は、音声を合成する際に利用する音声データを選択するようにしてもよい。この場合、音声データが解析されることにより、該音声データに対応する再生用パラメータが設定されてもよい。音声データは、音声メッセージへ、音声テキストデータを変換する際に取得されてもよい。例えば、ユーザ端末１００２は、ネットワークから、音声データをダウンロードするようにしてもよい。また、ユーザ端末１００２は、通話の際に発信者の音声を録音し、該録音された音声に基づく音声データを取得するようにしてもよい。この場合、音声が解析されることにより、該音声データが設定されてもよい。この処理の後、ステップＳ１０１６に遷移する。
【０１１０】
ＭＰＵ１１２をユーザ端末１００２として機能させるためのプログラムは、例えば、フレキシブルディスク、ＣＤ−ＲＯＭ、メモリカード等の記録媒体に記録された状態で提供される。また、プログラムを、ＣＮ６００を介してダウンロードするようにしてもよい。この記録媒体をコンピュータの補助記憶装置に挿入すると、記録媒体に記録されたプログラムが読み取られる。ＭＰＵ１１２は、読み込んだプログラムをＲＡＭあるいはＨＤＤに書き込み、処理を実行する。プログラムは、コンピュータに、図１０の各ステップＳ１００２−Ｓ１０１８の処理を実行させる。また、例えば、プログラムは、少なくとも一部のステップを実行されるようにしてもよい。
【０１１１】
＜無線通信システムの動作（その２）＞
無線通信システムの動作の一実施例を説明する。発信側のユーザ端末１００１の動作について示す。着信側のユーザ端末１００２の動作は、図１０と略同一である。
【０１１２】
＜ユーザ端末１００１の動作＞
図１１は、ユーザ端末１００１の動作の一実施例を示す。
【０１１３】
図１１のステップＳ１１０２−Ｓ１１０６は、図９のステップＳ９０２−Ｓ９０６と略同一である。
【０１１４】
ユーザ端末１００１は、着信側のユーザ端末１００２の電話番号に基づいて、専用の電子メールアドレスを作成する（ステップＳ１１０８）。つまり、通信制御部１０６は、着信側のユーザ端末１００２の電話番号に基づいて、専用の電子メールアドレスを作成する。具体的には、着信側のユーザ端末１００２の電話番号が「０９０＊＊＊＊＊＊」である場合に、専用の電子メールアドレスとして「０９０＊＊＊＊＊＊＠ｓａｉｇａｉ．ＸＸＸＸＸＸ．ｎｅ．ｊｐ」を作成する。「ｓａｉｇａｉ．ＸＸＸＸＸＸ」によりファイルサーバ５００のドメイン名が指定されてもよい。
【０１１５】
ユーザ端末１００１は、ステップＳ１１０８により作成された専用の電子メールアドレスを利用して、音声メッセージパケットを送信する（ステップＳ１１１０）。つまり、通信制御部１０６は、専用の電子メールアドレスを利用して、音声メッセージパケットを送信する。
【０１１６】
ＭＰＵ１１２をユーザ端末１００１として機能させるためのプログラムは、例えば、フレキシブルディスク、ＣＤ−ＲＯＭ、メモリカード等の記録媒体に記録された状態で提供される。また、プログラムを、ＣＮ６００を介してダウンロードするようにしてもよい。この記録媒体をコンピュータの補助記憶装置に挿入すると、記録媒体に記録されたプログラムが読み取られる。ＭＰＵ１１２は、読み込んだプログラムをＲＡＭあるいはＨＤＤに書き込み、処理を実行する。プログラムは、コンピュータに、図１１の各ステップＳ１１０２−Ｓ１１１０の処理を実行させる。また、例えば、プログラムは、少なくとも一部のステップを実行されるようにしてもよい。
【０１１７】
上述した実施例において、ユーザ端末１００１は、ＣＳ回線により発呼した際に、ネットワークからＣＳ回線へのアクセス規制が実行されていることを通知されることにより、ネットワークＣＳ回線へのアクセス規制が実行されていることを検出するようにしてもよい。
【０１１８】
本実施例によれば、発信者のユーザ端末は、着信者に対する音声メッセージをテキストデータに変換し、パケット化できる。発信者のユーザ端末は、着信者のユーザ端末にＰＳ回線により、パケット化された音声メッセージがテキストデータに変換されたものを送信できる。着信者のユーザ端末は、音声メッセージに、テキストデータを変換し、出力できる。音声メッセージに、テキストデータを変換する際に、予め登録される発信者の固有音声パラメータを利用して、発信者の声を合成し、出力することができる。また、発信者の固有音声パラメータが登録されていない場合でも、発信者の特徴に応じた声により出力できる。
【０１１９】
テキストデータに変換された音声メッセージが送信されるため、ネットワークの負荷を軽減できる。また、発信者の声や、発信者の特徴に応じた声により出力できるため、着信者に与える違和感を低減できる。
【０１２０】
説明の便宜上、発明の理解を促すため具体的な数値例を用いて説明されるが、特に断りのない限り、それらの数値は単なる一例に過ぎず適切な如何なる値が使用されてよい。
【０１２１】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０１２２】
１００１、１００２  ユーザ端末
１０２  入力部
１０４  出力部
１０６  通信制御部
１０８  無線部
１１０  記憶部
１１２  ＭＰＵ
１１０２  電話帳
１１０４  発信者分類テーブル
１１０６  音声パラメータテーブル
１１２２  規制状態判定部
１１２４  規制状態設定部
１１２６  音声発信判定部
１１２８  音声メッセージ通信制御部
１１３０  音声メッセージ変換部
１１３２  発信者情報取得部
１１３４  出力音声設定部
１１３６  音声メッセージ再生制御部
１５０  バス
２００１、２００２  基地局
３００１、３００２  ＲＮＣ
４００１、４００２  交換機
６００  コアネットワーク
【図１】
2013098770.tif 000003
【図２】
2013098770.tif 000004
【図３】
2013098770.tif 000005
【図４】
2013098770.tif 000006
【図５】
2013098770.tif 000007
【図６】
2013098770.tif 000008
【図７】
2013098770.tif 000009
【図８】
2013098770.tif 000010
【図９】
2013098770.tif 000011
【図１０】
2013098770.tif 000012
【図１１】
2013098770.tif 000013